(57)【要約】【課題】エレベータの設置スペースを拡大せず、かつエレベータの据え付け作業性を悪化させずにテールコードの揺動を確実に抑制できるテールコード制振装置と、当該制振装置を備えたエレベータとを提供する。【解決手段】昇降路２の壁面又は昇降路の壁面に固定された構造物１２に、テールコード８の保持枠２３と、保持枠２３に設置され、乗りかご４の昇降に追従して変位するテールコード８の折り返し部８ａにより開操作されると共に、折り返し部８ａの通過後は保持枠２３を自動的に閉止する開閉部材２４を備えた１乃至複数個のテールコード制振装置３Ａを取り付ける。【選択図】図５
2014169145.tif 000002
【特許請求の範囲】
【請求項１】
昇降路内に設置された乗りかごと、前記乗りかごを昇降駆動する巻上げ機と、前記巻上げ機の駆動制御を行うエレベータ制御装置と、前記乗りかごと前記エレベータ制御装置を電気的に接続するテールコードとを備えたエレベータにおいて、
前記昇降路の壁面又は前記昇降路の壁面に固定された構造物に、前記テールコードの保持枠と、当該保持枠に設置され、前記乗りかごの昇降に追従して変位する前記テールコードの折り返し部により開操作されると共に、前記折り返し部の通過後は前記保持枠を自動的に閉止する開閉部材を備えた１乃至複数個のテールコード制振装置を取り付けたことを特徴とするエレベータ。
【請求項２】
請求項１に記載のエレベータにおいて、
前記テールコード制振装置として、前記テールコードを挿通可能な内幅を有するコの字形に形成された保持枠と、前記保持枠の内面に旋回可能に取り付けられ、前記テールコードによって旋回操作されるヘの字形の開閉部材と、前記開閉部材をその曲折部を中心として位置方向に付勢するばね部材とからなるものを用いたことを特徴とするエレベータ。
【請求項３】
請求項１に記載のエレベータにおいて、
前記テールコード制振装置として、前記テールコードを挿通可能な内幅を有するコの字形に形成された前記保持枠と、前記保持枠の先端部に一端部が旋回可能に取り付けられ、前記テールコードによって旋回操作されるアーム状の開閉部材と、前記開閉部材を水平に保持してその先端部を前記保持枠の開口部内に配置するばね部材とからなるものを用いたことを特徴とするエレベータ。
【請求項４】
請求項１に記載のエレベータにおいて、
前記テールコード制振装置として、前記テールコードを挿通可能な内幅を有するコの字形に形成された前記保持枠と、前記保持枠に一端が固定されたくの字形のばね材からなる前記開閉部材とからなるものを用いたことを特徴とするエレベータ。
【請求項５】
テールコードの保持枠と、当該保持枠に設置され、乗りかごの昇降に追従して変位するテールコードの折り返し部により開操作されると共に、前記折り返し部の通過後は前記保持枠を自動的に閉止する開閉部材を備えることを特徴とするテールコード制振装置。
【発明の詳細な説明】
【技術分野】
【０００１】
本発明は、エレベータと、一端がエレベータの乗りかごに接続されたテールコードの制振装置とに関する。
【背景技術】
【０００２】
エレベータは、昇降路内に設置された乗りかごと、一端が乗りかごに結索されたワイヤロープを巻上げ又は繰出しして乗りかごを昇降させる巻上げ機と、巻上げ機の駆動制御を行うエレベータ制御装置と、エレベータ制御装置から乗りかごへの電源の供給、及びエレベータ制御装置と乗りかごとの間の信号の授受を行うテールコードを備えている。テールコードの一端は乗りかごに接続され、他端は昇降路の高さ方向の中間位置に設置された中継ボックスに接続される。
【０００３】
テールコードは、地震や風による建物の揺れ或いは乗りかごの駆動及び停止などの様々な要因によって動揺する。従来の一般的なエレベータにおいては、テールコードが昇降路内に吊り下げられており、しかもテールコードの動揺を抑制するための手段が備えられていない。このため、建物の揺れ等に応じてテールコードが動揺した場合、昇降路内に配置された機器類にテールコードが衝突しやすく、機器類の故障やテールコードの断線等の発生が懸念される。特に、テールコードの揺れ幅は、テールコードが長いほど大きくなるので、高層用のエレベータにおいてこのような不都合が生じやすくなる。
【０００４】
従来、このような問題を解決するため、昇降路に沿って昇降路ダクトと呼ばれるテールコードの挿通路を建物に形成すると共に、昇降路と昇降路ダクトとを連通する隙間に昇降路ダクトから昇降路へのテールコードの飛び出しを防止するためのコード止め部材を備えたものが提案されている（例えば、特許文献１の要約書参照。）。特許文献１に記載のエレベータは、昇降路ダクトによってテールコードの動揺を抑制することができるので、テールコードの動揺に起因する機器類の故障やテールコードの断線等を防止することができる。
【先行技術文献】
【特許文献】
【０００５】
【特許文献１】特開２００５−１４５６１４号公報
【発明の概要】
【発明が解決しようとする課題】
【０００６】
しかしながら、特許文献１に記載のエレベータは、昇降路に沿って昇降路ダクトを建物に形成しなくてはならないので、建物の建設コストが高価になるばかりでなく、エレベータの設置スペースが大きくなって、その分、有効利用可能な他のスペースが狭くなる。また、昇降路ダクト内へのテールコードの挿通には多大の労力を要するため、エレベータの据え付け作業性が悪くなる。
【０００７】
本発明は、このような従来技術の実状に鑑みてなされたものであり、その目的は、エレベータの設置スペースを拡大せず、かつエレベータの据え付け作業性を悪化させずにテールコードの動揺を確実に抑制できるテールコード制振装置と、当該制振装置を備えたエレベータとを提供することにある。
【課題を解決するための手段】
【０００８】
本発明は、上述の課題を解決するため、エレベータに関しては、昇降路内に設置された乗りかごと、前記乗りかごを昇降駆動する巻上げ機と、前記巻上げ機の駆動制御を行うエレベータ制御装置と、前記乗りかごと前記エレベータ制御装置を電気的に接続するテールコードとを備えたエレベータにおいて、前記昇降路の壁面又は前記昇降路の壁面に固定された構造物に、前記テールコードの保持枠と、当該保持枠に設置され、前記乗りかごの昇降に追従して変位する前記テールコードの折り返し部により開操作されると共に、前記折り返し部の通過後は前記保持枠を自動的に閉止する開閉部材を備えた１乃至複数個のテールコード制振装置を取り付けたことを特徴とする。
【０００９】
また、本発明は、上述の課題を解決するため、テールコードの制振装置に関しては、テールコードの保持枠と、当該保持枠に設置され、乗りかごの昇降に追従して変位するテールコードの折り返し部により開操作されると共に、前記折り返し部の通過後は前記保持枠を自動的に閉止する開閉部材を備えることを特徴とする。
【発明の効果】
【００１０】
本発明によると、昇降路の壁面又は昇降路の壁面に固定された構造物に１乃至複数個のテールコード制振装置を取り付けるので、建物にテールコード制振用の昇降路ダクトを形成する必要がなく、建物の建設コストの上昇及びエレベータの設置スペースの拡大を防止することができる。また、本発明のテールコード制振装置は、保持枠に、テールコードの折り返し部により開操作されると共に、折り返し部の通過後は保持枠を自動的に閉止する開閉部材を備えたので、保持枠を昇降路内の適所に備えるだけでテールコードの保持を自動的に行うことができ、エレベータの据え付け作業を容易化することができる。
【図面の簡単な説明】
【００１１】
【図１】第１実施形態に係るエレベータの構成を示す昇降路の縦断面図である。
【図２】第２実施形態に係るエレベータの構成を示す昇降路の横断面図である。
【図３】実施例１に係るテールコード制振装置の斜視図である。
【図４】実施例１に係るテールコード制振装置の正面図である。
【図５】実施例１に係るテールコード制振装置のテールコード保持状態を示す斜視図である。
【図６】実施例２に係るテールコード制振装置の斜視図である。
【図７】実施例２に係るテールコード制振装置の動作説明図である。
【図８】実施例３に係るテールコード制振装置の構成及び動作を示す正面図である。
【発明を実施するための形態】
【００１２】
以下、本発明に係るエレベータの実施形態を、図を用いて説明する。
【００１３】
第１実施形態に係るエレベータ１Ａは、図１に示すように、昇降路２の壁面に、複数個（図１の例では５個）のテールコード制振装置３を、それぞれ所定の間隔を隔てて縦一列に取り付けたことを特徴とする。その他の部分に関しては、公知に属する一般的なエレベータと同様に構成される。
【００１４】
即ち、昇降路２内には、昇降路２の壁面に固定された図示しない案内レールを介して乗りかご４が設置され、乗りかご４は、ワイヤロープ５を介して巻上げ機６に連結されている。巻上げ機６は、エレベータ制御装置７によって駆動が制御され、乗りかご４を昇降路２に沿って昇降させる。乗りかご４とエレベータ制御装置７は、テールコード８を介して電気的に接続されている。テールコード８は、乗りかご４を建物の最下階と最上階の間で運転可能な長さを有しており、一端が乗りかご４に接続されると共に、他端が昇降路２の高さ方向の中間位置に設置された中継ボックス９に接続されている。中継ボックス９とエレベータ制御装置７は、昇降路２の壁面に沿って配線された固定ケーブル１０を介して接続されており、これにより、エレベータ制御装置７から乗りかご４への電源の供給及びエレベータ制御装置７と乗りかご４との間の信号の送受信が可能になる。テールコード制振装置３の設定数及び設定間隔は、テールコード８の全長や揺動しやすさ等を考慮して定められる。
【００１５】
第２実施形態に係るエレベータ１Ｂは、昇降路２の壁面にテールコード制振装置３を直接取り付ける構成に代えて、図２に示すように、昇降路２の壁面に沿って配置された高剛性の構造物にテールコード制振装置３を取り付けたことを特徴とする。図２の例では、昇降路２の壁面に固定された乗りかご４の案内レール１１にブラケット１２が一体に形成されており、このブラケット１２にテールコード制振装置３が取り付けられている。なお、図２に記載の符号１３は、乗りかご４に設けられたガイド部材を示しており、昇降路２の壁面に固定された案内レール１１に係合される。
【００１６】
次に、本発明に係るテールコード制振装置３の実施形態を、実施例毎に図を用いて説明する。
【実施例１】
【００１７】
実施例１に係るテールコード制振装置３Ａは、図３〜図５に示すように、基板部２１及び当該基板部２１の左右両側辺から同一方向に起立された２枚の側板部２２からなるコの字形の保持枠２３と、側板部２２の内面に取り付けられたヘの字形の開閉部材２４と、側板部２２の内面と開閉部材２４の曲折部２５との間に設けられ、開閉部材２４を常時開方向に付勢する蝶ばね２６とから構成されている。
【００１８】
基板部２１には、１乃至複数個（図４の例では２個）のボルト貫通孔２１ａが開設されており、保持枠２３は、該ボルト貫通孔２１ａに貫通された図示しないボルトを用いて、昇降路２の壁面、又は昇降路２の壁面に固定されたブラケット１２等の構造物に固定される。また、２枚の側板部２２の内面の間隔は、テールコード８の幅よりも大きく設定され、テールコード８を挿通できるようになっている。
【００１９】
開閉部材２４は、図３〜図５に示すように、曲折部２５を介してその下方部分が、テールコード８によって押圧操作される操作部２７になっており、また、曲折部２５を介してその上方部分が、保持枠２３内に入ったテールコード８の前方に移動して保持枠２３内からのテールコード８の脱落を防止する脱落防止部２８となっている。脱落防止部２８の横幅は操作部２７の横幅よりも小さく形成されており、脱落防止部２８は操作部２７の幅方向の中間位置に形成される。このように構成された本例の開閉部材２４は、操作部２７がテールコード８の通過経路上に配置され、かつ脱落防止部２８が保持枠２３内に入ったテールコード８の前方に移動可能であるようにして、保持枠２３を構成する側板部２２の内面に取り付けられる。
【００２０】
蝶ばね２６は、開閉部材２４に形成された曲折部２５の付近に備えられ、一端が操作部２７の外面に固定又は当接されると共に、他端が側板部２２の内面に固定又は当接されている。したがって、蝶ばね２６は、図３及び図４に示すように、脱落防止部２８の外面を側板部２２の内面に当接させ、操作部２７を保持枠２３内に突出させる方向に開閉部材２４を付勢している。
【００２１】
以下、実施例１に係るテールコード制振装置３Ａの動作について説明する。
【００２２】
保持枠２３にテールコード８が保持されていない状態においては、図３及び図４に示すように、蝶ばね２６の弾性力により、開閉部材２４の脱落防止部２８が保持部２３の側板部２２に当接され、開閉部材２４の操作部２７が保持枠２３内に突出されている。乗りかご４の下降に伴ってテールコード８の折り返し部８ａが下降し、下降してきたテールコード８の折り返し部８ａが保持枠２３内に入ると、保持枠２３内に突出されている開閉部材２４の操作部２７にテールコード８の折り返し部８ａが当接し、その力によって、開閉部材２４が蝶ばね２６の弾性力に抗して逆方向に回動される。これにより、図５に示すように、開閉部材２４の操作部２７が保持枠２３の側板部２２に当接する方向に旋回されると共に、開閉部材２４の脱落防止部２８が保持枠２３内に入ったテールコード８の前面側に旋回する。保持枠２３内にテールコード８が入っている間は、開閉部材２４の操作部２７がテールコード８の側辺部により押圧されるため、保持枠２３の側板部２２に当接する方向に旋回され続け、開閉部材２４の脱落防止部２８は保持枠２３内に入ったテールコード８の前面側に旋回されたままの状態となる。したがって、保持枠２３からのテールコード８の脱落を確実に防止できる。
【００２３】
一方、保持枠２３内にテールコード８が保持されている状態から、乗りかご４の上昇に伴ってテールコード８の折り返し部８ａが上昇し、上昇してきたテールコード８の折り返し部８ａが保持枠２３の設定位置を超えると、テールコード８との係合が解除されるため、開閉部材２４が蝶ばね２６の弾性力によって付勢方向に旋回し、図４及び図５の状態に戻る。したがって、保持枠２３からのテールコード８の離脱を円滑に行うことができる。
【実施例２】
【００２４】
実施例２に係るテールコード制振装置３Ｂは、図６及び図７に示すように、基板部３１、当該基板部３１の左右両側辺から同一方向に起立された２枚の側板部３２及び側板部３２の先端から外向きに折り返された開閉部材設定部３３からなる略コの字形の保持枠３４と、開閉部材設定部３３の外面に旋回可能に取り付けられたアーム状の開閉部材３５と、開閉部材設定部３３と開閉部材３５との間に設けられ、開閉部材３５を常時水平位置に保持するコイルばね３６と、開閉部材３５の外側に配置され、開閉部材設定部３３に固着された補強部材３７とから構成されている。
【００２５】
開閉部材３５は、図６及び図７（ａ），（ｃ）に示すように、基端部の中央が連結ピン３８を介して開閉部材設定部３３に揺動自在に連結され、基端部の上辺と開閉部材設定部３３との間に張設されたコイルばね３６によって水平に保持されている。その他については、実施例１に係るテールコード制振装置３Ａと同じであるので、対応する部分に同一の符号を付して説明を省略する。
【００２６】
以下、実施例２に係るテールコード制振装置３Ｂの動作について説明する。
【００２７】
保持枠３４にテールコード８が保持されていない状態においては、図６及び図７（ａ）に示すように、コイルばね３６の弾性力により、開閉部材３５の先端部が保持枠３４の開口部内に突出されている。乗りかご４の下降に伴ってテールコード８の折り返し部８ａが下降し、下降してきたテールコード８の折り返し部８ａが保持枠３４内に入ると、図７（ｂ）に示すように、保持枠３４の開口部内に突出されている開閉部材３５にテールコード８の折り返し部８ａが当接し、その力によって、開閉部材３５の先端部が連結ピン３８を中心としてコイルばね３６の弾性力に抗して下向きに回動される。テールコード８の折り返し部８ａがさらに下降し、開閉部材３５を通過すると、開閉部材３５は、コイルばね３６の弾性力により、元の水平状態に戻る。これにより、保持枠３４からのテールコード８の脱落を確実に防止できる。
【００２８】
一方、保持枠３４内にテールコード８が保持されている状態から、乗りかご４の上昇に伴ってテールコード８の折り返し部８ａが上昇し、上昇してきたテールコード８の折り返し部８ａが保持枠３４内に入ると、保持枠３４の開口部内に突出されている開閉部材３５にテールコード８の折り返し部８ａが当接し、その力によって、開閉部材３５の先端部が連結ピン３８を中心として上向きに回動される。テールコード８の折り返し部８ａがさらに上昇し、開閉部材３５を通過すると、開閉部材３５は、コイルばね３６の弾性力により、元の水平状態に戻る。これにより、保持枠３４からのテールコード８の離脱を円滑に行うことができる。
【００２９】
本実施例に係るテールコード制振装置３Ｂは、実施例１に係るテールコード制振装置３Ａと同様の効果を有するほか、開閉部材３５の外面側に補強部材３７を設けたので、開閉部材３５の変形を防止でき、耐久性に優れる。
【実施例３】
【００３０】
実施例３に係るテールコード制振装置３Ｃは、図８に示すように、基板部４１及び当該基板部４１の左右両側辺から同一方向に起立された２枚の側板部４２からなるコの字形の保持枠４３と、側板部４２の外面に一端が固着されたくの字形の弾性板からなる開閉部材４４とから構成されている。
【００３１】
側板部４２には、開閉部材４４の先端側を挿通可能な透孔４５が開設されており、開閉部材４４の一端は、当該透孔４５の上部または下部に固定されている。また、くの字形に曲折された開閉部材４４の中央部分は、透孔４５を貫通して、２枚の側板部４２の中間部に突設されている。その他については、実施例１に係るテールコード制振装置３Ａ及び実施例２係るテールコード制振装置３Ｂと同じであるので、対応する部分に同一の符号を付して説明を省略する。
【００３２】
以下、実施例２に係るテールコード制振装置３Ｃの動作について説明する。
【００３３】
保持枠４３にテールコード８が保持されていない状態においては、図８に実線で示すように、開閉部材４４の中央部が保持枠４３内に突出されている。乗りかご４の下降に伴ってテールコード８の折り返し部８ａが下降し、下降してきたテールコード８の折り返し部８ａが保持枠４３内に入ると、保持枠４３内に突出されている開閉部材４４にテールコード８の折り返し部８ａが当接し、その力によって、図８に破線で示すように開閉部材４４が弾性変形され、開閉部材４４は透孔４５を通って側板部４２の外側に退避される。テールコード８の折り返し部８ａがさらに下降し、開閉部材４４を通過すると、開閉部材４４は、自身の弾性力により、保持枠４３内に突出する。これにより、保持枠４３からのテールコード８の脱落を確実に防止できる。
【００３４】
一方、保持枠３１内にテールコード８が保持されている状態から、乗りかご４の上昇に伴ってテールコード８の折り返し部８ａが上昇し、上昇してきたテールコード８の折り返し部８ａが保持枠４３内に入ると、保持枠４３内に突出されている開閉部材４４にテールコード８の折り返し部８ａが当接し、その力によって、開閉部材４４が弾性変形され、開閉部材４４は透孔４５を通って側板部４２の外側に退避される。テールコード８の折り返し部８ａがさらに上昇し、開閉部材４４を通過すると、開閉部材４４は、自身の弾性力により、保持枠４３内に再度突出する。これにより、保持枠４４からのテールコード８の離脱を円滑に行うことができる。
【００３５】
本実施例に係るテールコード制振装置３Ｃは、実施例１に係るテールコード制振装置３Ａと同様の効果を有するほか、開閉部材４４自身に弾性を付与したので、他の特別なばね部材を必要とせず、安価に実施することができる。
【符号の説明】
【００３６】
１…エレベータ、２…昇降路、３Ａ，３Ｂ，３Ｃ…テールコード制振装置、４…乗りかご、５…ワイヤロープ、６…巻上げ機、７…エレベータ制御装置、８…テールコード、９…中継ボックス、１０…固定ケーブル、１１…案内レール、１２…ブラケット、１３…ガイド部材、２１…基板部、２１ａ…ボルト貫通孔、２２…側板部、２３…保持枠、２４…開閉部材、２５…曲折部、２６…蝶ばね、２７…操作部、２８…脱落防止部、３１…基板部、３２…側板部、３３…開閉部材設定部、３４…保持枠、３５…開閉部材、３６…イルばね、３７…補強部材、３８…連結ピン、４１…基板部、４２…側板部、４３…保持枠、４４…開閉部材、４５…透孔。
【図１】
2014169145.tif 000003
【図２】
2014169145.tif 000004
【図３】
2014169145.tif 000005
【図４】
2014169145.tif 000006
【図５】
2014169145.tif 000007
【図６】
2014169145.tif 000008
【図７】
2014169145.tif 000009
【図８】
2014169145.tif 000010